(57)【要約】【課題】昆虫を効率良く誘引することのできる昆虫捕獲器を提供する。【解決手段】ケース体２に誘引光源装置３を収容し、前記誘引光源装置３の光によって昆虫を誘引し捕獲する昆虫捕獲器１であって、波長３５５ｎｍ〜３８０ｎｍの間にピーク波長を有する紫外線発光ダイオード３４で前記誘引光源装置を構成した。【選択図】図１
2007289122.tif 000002
【特許請求の範囲】
【請求項１】
ケース体に誘引光源を収容し、前記誘引光源の光によって昆虫を誘引し捕獲する昆虫捕獲器であって、
波長３５５ｎｍ〜３８０ｎｍの間にピーク波長を有する紫外線発光ダイオードで前記誘引光源を構成したことを特徴とする昆虫捕獲器。
【請求項２】
請求項１に記載の昆虫捕獲器において、
前記誘引光源に白色発光ダイオードを更に設けたことを特徴とする昆虫捕獲器。
【請求項３】
ケース体に誘引光源を収容し、前記誘引光源の光によって昆虫を誘引し捕獲する昆虫捕獲器であって、
前記ケース体に空気排出口を形成し、前記ケース体に形成された昆虫誘引口から前記空気排出口に至る風路を設け、当該風路上に前記誘引光源を配置して前記誘引光源を空冷することを特徴とする昆虫捕獲器。
【請求項４】
請求項３に記載の昆虫捕獲器において、
前記誘引光源の光に誘引された昆虫を捕獲する捕獲装置を前記ケース体に収容すると共に、
前記捕獲装置に通風構造を有することを特徴とする昆虫捕獲器。
【請求項５】
請求項３または４に記載の昆虫捕獲器において、
波長３５５ｎｍ〜３８０ｎｍの間にピーク波長を有する紫外線発光ダイオードで前記誘引光源を構成したことを特徴とする昆虫捕獲器。
【請求項６】
請求項５に記載の昆虫捕獲器において、
前記誘引光源に通風構造を有することを特徴とする昆虫捕獲器。
【発明の詳細な説明】
【技術分野】
【０００１】
本発明は、光によって誘引した飛翔昆虫を捕獲する昆虫捕獲器に関する。
【背景技術】
【０００２】
蚊やハエ、蛾などの飛翔昆虫（以下、単に「昆虫」と言う）が紫外線へ向かって進むという習性を利用し、これらの昆虫を捕獲する昆虫捕獲器が従来から知られている。昆虫を誘引するための紫外線の光源（誘引光源）としては、ブラックライトや水銀ランプなどの放電ランプが一般に使用されており、近年では、紫外線発光ダイオードも用いられている。また、昆虫を捕獲殺虫する手段としては、誘引光源の周辺に配設した電撃用高圧線や、水や殺虫剤を入れた容器等が利用されている（例えば、特許文献１〜３参照）。
【特許文献１】特開２００３−７０４０２号公報
【特許文献２】特開２００５−５８０５０号公報
【特許文献３】特開２００１−８６９１６号公報
【発明の開示】
【発明が解決しようとする課題】
【０００３】
しかしながら、誘引光源として放電ランプを用いた場合、誘引光源が大型化すると共に、当該放電ランプ専用の安定器を備える必要があるため、昆虫捕獲器が大きくなり設置場所が限定されるという問題がある。さらに、放電ランプは、内部に水銀を含むものが多いため環境に優しくなく、また、昆虫誘引に寄与する紫外線以外の光、つまり可視光線から赤外線の領域の光を多分に含むためエネルギーの利用効率が悪い。
また、誘引光源として紫外線発光ダイオードを用いた場合、紫外線発光ダイオードは、上記放電ランプと比較して紫外線の発光量が少ないため昆虫の誘引力が弱いという問題がある。誘引力を増強するためには、紫外線発光ダイオードの数を増やしたり、或いは、高出力の紫外線発光ダイオードを用いたり、動作電力を引き上げる等して紫外線量を増加させる必要がある。しかしながら、この場合、紫外線発光ダイオード自身の発熱量が増加して紫外線発光ダイオードの発光効率が低下し、また、寿命が低下することが懸念される。
【０００４】
本発明は、上述した事情に鑑みてなされたものであり、昆虫を効率良く誘引することのできる昆虫捕獲器を提供することを目的とする。
【課題を解決するための手段】
【０００５】
上記目的を達成するために、本発明は、ケース体に誘引光源を収容し、前記誘引光源の光によって昆虫を誘引し捕獲する昆虫捕獲器であって、波長３５５ｎｍ〜３８０ｎｍの間にピーク波長を有する紫外線発光ダイオードで前記誘引光源を構成したことを特徴とする。
【０００６】
また本発明は、上記発明において、前記誘引光源に白色発光ダイオードを更に設けたことを特徴とする。
【０００７】
上記目的を達成するために、本発明は、ケース体に誘引光源を収容し、前記誘引光源の光によって昆虫を誘引し捕獲する昆虫捕獲器であって、前記ケース体に空気排出口を形成し、前記ケース体に形成された昆虫誘引口から前記空気排出口に至る風路を設け、当該風路上に前記誘引光源を配置して前記誘引光源を空冷することを特徴とする。
【０００８】
また本発明は、上記発明において、前記誘引光源の光に誘引された昆虫を捕獲する捕獲装置を前記ケース体に収容すると共に、前記捕獲装置が通風構造を有することを特徴とする。
この捕獲装置は、昆虫を粘着して捕獲する構造が好ましく、さらに、ケース体に対して着脱自在に構成されていることが望ましい。
【０００９】
また本発明は、上記発明において、波長３５５ｎｍ〜３８０ｎｍの間にピーク波長を有する紫外線発光ダイオードで前記誘引光源を構成したことを特徴とする。
【００１０】
また本発明は、上記発明において、前記誘引光源が通風構造を有することを特徴とする。
【発明の効果】
【００１１】
本発明によれば、波長３５５ｎｍ〜３８０ｎｍの間にピーク波長を有する紫外線発光ダイオードで誘引光源を構成したため、昆虫の視感度のピークに合致した誘引光源が実現され、効率良く昆虫を誘引することができる。
【発明を実施するための最良の形態】
【００１２】
以下、図面を参照して本発明の実施形態について説明する。なお、本実施形態では、レストランや食品工場、或いは、家庭等の室内に配置して好適な昆虫捕獲器を説明する。
図１は本実施形態に係る昆虫捕獲器１の構成を示す斜視図であり、図２はその断面図である。これらの図に示すように、昆虫捕獲器１は、正面及び背面が共に開口した箱形のケース体２を有し、このケース体２には、正面開口側から順に、紫外線を放射して昆虫を誘引する誘引光源装置３、この誘引光源装置３により誘引された昆虫を捕獲する捕獲装置４、および、小昆虫を通過させないフィルタ装置５が収容されている。また、ケース体２の正面開口は昆虫をケース体２の内部へ誘引する昆虫誘引口６として形成され、背面開口がケース体２内部の空気を排出する空気排出口７として形成されており、これら昆虫誘引口６及び空気排出口７により昆虫誘引口６から空気排出口７に至る風路Ｌがケース体２内に形成される。
【００１３】
昆虫捕獲器１の室内への設置について説明すると、図２に示すように、室内の壁面１００には、空気調和装置の室内機１０１が設置されており、この室内機１０１の空気吸込口１０２及び空気吹出口１０３のうちの空気吸込口１０２の正面に、昆虫捕獲器１の背面側を密着させて設置される。これにより、室内機１０１のファン１０４による空気吸込動作に伴って、昆虫捕獲器１の昆虫誘引口６からケース体２内部に空気が導入され、誘引光源装置３、捕獲装置４及びフィルタ装置５を通過して空気排出口７から排出されることとなる。
【００１４】
上記誘引光源装置３は、図３に示すように、略矩形に組まれた枠体３０を有し、この枠体３０には、バー形状の実装基板３１が所定間隔で複数（図示例では３つ）取り付けられており、各実装基板３１の間隙３２及び実装基板３１と枠体３０との間隙３３によって通風構造が形成されている。各実装基板３１には、複数の紫外線発光ダイオード３４及び白色発光ダイオード３５が取り付けられており、各紫外線発光ダイオード３４及び白色発光ダイオード３５の光放射方向を昆虫誘引口６に向けた姿勢で本誘引光源装置３がケース体２に内設される。
【００１５】
ここで、上記紫外線発光ダイオード３４を昆虫の視感度曲線に基づいて決定することとし、本実施形態では、紫外線発光ダイオード３４に３６５ｎｍにピーク波長を有するものを用いることとし、これについて以下に詳述する。
図４は、ショウジョウバエ類の走光性の視感度曲線であり、破線で示す曲線ＩはBickford曲線を示し、一点鎖線で示す曲線ＩＩはBertholf-Drosophila曲線を示す。この図に示すように、視感度のピークは波長３５５ｎｍ〜３８０ｎｍの波長帯域Ａに存在し、この波長帯域Ａの光が昆虫を最も誘引する。したがって、この波長帯域Ａにピーク波長を有する紫外線発光ダイオードを誘引光源として用いることで昆虫を効率良く誘引することが可能となる。そこで、本実施形態では、３６５ｎｍにピーク波長を有する紫外線発光ダイオード３４を用いている。この上記紫外線発光ダイオード３４の波長分布を曲線ＩＩＩにて示す。この曲線ＩＩＩが示すように、紫外線発光ダイオード３４の波長分布は上記視感度曲線のピークを示す波長帯域Ａに殆ど内包されている。すなわち、当該紫外線発光ダイオード３４を誘引光源として用いることで、紫外線発光ダイオード３４が発する光の殆どが昆虫の誘引に寄与するため効率の良い誘引光源が構成されることとなる。
なお、一般的な紫外線発光ダイオードとして用いられる３９０ｎｍにピーク波長を有する発光ダイオードであっても昆虫を誘引可能であるが、同図に曲線ＩＶにて示すように、上記波長帯域Ａから外れた波長域にピーク波長があるため、本実施形態の紫外線発光ダイオード３４に対して昆虫を誘引する効果が低下する。
【００１６】
また、図４に示すように、昆虫の視感度は約４２０ｎｍ〜約６００ｎｍの波長帯域Ｂにも比較的大きなピークを有する。そこで、本実施形態では、図５に示すように、当該波長帯域Ｂを含む光を放射する白色発光ダイオード３５を上記紫外線発光ダイオード３４と共に誘引光源装置３に補助的に設けることで、昆虫の誘引効果をより高めることとし、また、上記視感度曲線より若干長波長側にずれた波長帯域に視感度を有する昆虫をも誘引可能としている。ここで、波長帯域Ａに比べて波長帯域Ｂの視感度は小さいため、各白色発光ダイオード３５による白色光光量は各紫外線発光ダイオード３４による紫外線光量より少なくても十分である。したがって、に紫外線発光ダイオード３４及び白色発光ダイオード３５のそれぞれの配置数は、例えば、波長帯域Ａと波長帯域Ｂとのピーク強度の比率と、紫外線光量と白色光光量との比率とが略同程度になるよう決定される。
【００１７】
さて、上記捕獲装置４は、図６に示すように、誘引光源装置３に誘引された昆虫を捕獲するための粘着シート４１と、この粘着シート４１を支持する略矩形の枠体４０と、枠体４０の底部に一体に設けられた把持部４４とを有している。粘着シート４１はメッシュ状に形成されて空気を通す通風構造を有している。また、枠体４０は、前面枠４０Ａと背面枠４０Ｂとを有し、前面枠４０Ａが枠体４０の上縁部４２を軸として背面枠４０Ｂに対し正面側（矢印Ｘにて示す）に開放自在に取り付けられている。粘着シート４１を枠体４０にセット或いは交換する際には、前面枠４０Ａを開放させて当該前面枠４０Ａと背面枠４０Ｂとの間に粘着シート４１をセットして粘着シート４１を前面枠４０Ａ及び背面枠４０Ｂに挟持させ、前面枠４０Ａ及び背面枠４０Ｂを螺子４３により締結する。
【００１８】
また、昆虫捕獲器１のケース体２には、前掲図２に示すように、捕獲装置４が挿入される挿入口１０と、捕獲装置４の上縁部４２と係合する受部１１とが設けられ、捕獲装置４がケース体２に対して着脱自在になされおり、粘着シート４１に昆虫が多量に捕獲されている等して粘着シート４１を交換する際には、把持部４４を持って捕獲装置４をケース体２から引き出すことで、粘着シート４１を簡単に交換することができる。
【００１９】
以上の構成の下、誘引光源装置３の各紫外線発光ダイオード３４及び白色発光ダイオード３５を点灯させて紫外光及び白色光を昆虫誘引口６から放射することで、室内の昆虫がケース体２に誘引され、捕獲装置４の粘着シート４１に粘着されて捕獲される。このとき、室内機１０１が稼働することで、例えば一般的な家庭用空気調和装置であっても空気吸込口１０２付近では毎秒０．５〜１．０ｍの流速が得られ、これにより、ケース体２の昆虫誘引口６から空気が吸い込まれ、この空気により紫外線発光ダイオード３４及び白色発光ダイオード３５が空冷される。また、昆虫誘引口６からの空気の吸い込みに伴い、昆虫捕獲器１の近傍を飛翔する昆虫が昆虫誘引口６に誘引され易くなる。
【００２０】
このように、本実施形態によれば、波長３５５ｎｍ〜３８０ｎｍの間にピーク波長を有する紫外線発光ダイオード３４で誘引光源装置３を構成したため、誘引光源装置３から放射される紫外線の波長分布が視感度曲線のピークの波長帯域Ａに殆ど内包されることとなる。これにより、誘引光源装置３から発する光の殆どが昆虫の誘引に寄与するため、効率良く昆虫を誘引できる。
また、誘引効果を維持しつつ従来のものよりも誘引光源装置３の発光量を抑えることが可能となるため、誘引光源装置３の消費電力及び発熱を抑え、誘引光源装置３を構成する紫外線発光ダイオード３４の長寿命化が達成される。
また、誘引光源装置３として紫外線発光ダイオード３４を採用したために、簡単な点灯回路および構造で、かつ小型の昆虫捕獲器１を構成することができ、デザイン性に優れ、効率のよい低消費電力の昆虫捕獲器１を提供することができる。
【００２１】
また、本実施形態によれば、誘引光源装置３に白色発光ダイオード３５を更に設けたため、昆虫の誘引効果をより高めることが可能となり、また、昆虫の視感度曲線より若干長波長側にずれた波長帯域に視感度を有する昆虫をも誘引することができる。
さらに、室内の比較的暗い場所においては、白色発光ダイオード３５の光を常夜灯として用いることもできる。
【００２２】
また、本実施形態によれば、ケース体２に空気排出口７を形成し、昆虫誘引口６から空気排出口７に至る風路Ｌを設け、当該風路Ｌ上に誘引光源装置３を配置して空冷する構成としたため、誘引光源装置３を構成する紫外線発光ダイオード３４の温度上昇を抑制し、以って、紫外線発光ダイオード３４の長寿命化が達成されると共に、温度上昇に伴う紫外線発光ダイオード３４の光出力低下を防止し、効率良く昆虫を誘引することができる。
特に、昆虫誘引口６から空気を導入する構成であるため、昆虫捕獲器１の近傍を飛翔する昆虫を空気の流れに乗せてケース体２に誘引させ易くすることができる。
【００２３】
さらに、本実施形態によれば、捕獲装置４に通風構造を持たせたため、ケース体２内の空気の流れを遮ることが無く、以って、誘引光源装置３の空冷作用を維持することができる。特に、本実施形態によれば、捕獲装置４がメッシュ状の粘着シート４１を有し、当該粘着シート４１により昆虫を粘着させて捕獲する構成であり、なおかつ、ケース体２に対して着脱自在な構成であるため、電撃用高圧線により昆虫を捕獲・殺傷する構成に比べて高電圧用の電源が不要となり、また、水や殺虫剤により昆虫を捕獲・殺傷する構成に比べて捕獲用の受け皿等が不要となるため、装置のコンパクト化が図られると共に、装置のデザイン性の自由度を増し、また、粘着シート４１の交換作業を簡単に行うことができる。
また、電撃用高圧線のように昆虫捕獲時に電撃音や昆虫の死骸が散乱するといったことが無いため、室内に居る者に不快感を与えることもない。
【００２４】
また、本実施形態によれば、誘引光源装置３に通風構造を持たせたため、誘引光源装置３を冷却した空気を速やかに空気排出口７に向かわせることができ、以って、誘引光源装置３の空冷作用を維持することができる。
【００２５】
＜変形例＞
上述した実施形態は、あくまでも本発明の一態様を示すものであり、本発明の範囲内で任意に変形及び応用が可能である。
例えば、上述した実施形態では、捕獲装置４にメッシュ状の粘着シート４１を設けて通風構造を持たせたが、これに限らない。すなわち、図７に示すように、捕獲装置４Ａの枠体４０Ａに通風用の貫通孔５０を形成することで捕獲装置４Ａに通風構造を持たせた昆虫捕獲器１Ａとしても良い。この構成によれば、粘着シート４１にメッシュ状のものを用いる必要が無く、一般的な安価な粘着シートを用いることができるため、ランニングコストを抑えることができる。また、空気排出口７にはフィルタ装置５が配設されているため、捕獲装置４Ａの貫通孔５０を昆虫が通過したとしてもフィルタ装置５により空気排出口７から外部に出て行ってしまうのが防止される。
【００２６】
また例えば、上述した実施形態では、捕獲装置４を誘引光源装置３とフィルタ装置５との間に配置したが、これに限らない。すなわち、図８に示すように、昆虫誘引口６から誘引光源装置３にかけてケース体２の内側面２Ａに沿って粘着シート４１Ａが配置されるように捕獲装置４Ｂを設けて昆虫捕獲器１Ｂを構成しても良い。この場合、捕獲装置４Ｂは、粘着シート４１Ａを保持する保持板６０と、この保持板６０を昆虫誘引口６に着脱自在に保持する取付枠６１とを有し構成され、また、粘着シート４１Ａとしては通気構造を持たないものを用いることができる。
【００２７】
また例えば、上述した実施形態では、昆虫捕獲器１を空気調和装置の室内機１０１の空気吸込口１０２に取り付ける構成について例示したが、これに限らず、室内機１０１に内蔵する構成としても良く、また例えば換気扇等の送風手段を備える装置に取り付けるようにしても良い。また、図９に示すように、ケース体２内に送風手段としてのファン７０を収容し、当該ファン７０により強制的に風を流し、誘引光源装置３を冷却するように昆虫捕獲器１Ｃを構成しても良い。
【００２８】
また例えば、上述した実施形態において、前掲図４に示す視感度曲線と異なる視感度を有する昆虫を誘引する場合には、その昆虫の視感度に合わせた波長の発光ダイオードを誘引光源装置３に更に設ける構成としても良い。
【００２９】
また、上述した実施形態では、室内に配置して好適な昆虫捕獲器１について説明したが、これに限らず、屋外に配置しても良いことは勿論である。また、この場合、誘引光源装置３を構成する紫外線発光ダイオード３４を動作させるための電源として、商用電源を用いる構成の他、電池やバッテリー、太陽電池等を用いる構成とすることで、設置場所の選択肢を広げることができる。また、屋外などの風力がある場所では、風力発電による紫外線発光ダイオード３４の点灯と共に、当該風力による冷却を行うことができ、省エネルギー効果及び冷却効果をより高めることができる。
【図面の簡単な説明】
【００３０】
【図１】本発明の実施形態に係る昆虫捕獲器の構成を示す斜視図。
【図２】昆虫捕獲器の構成を使用の態様と共に示す断面図。
【図３】誘引光源装置の構成を示す図。
【図４】昆虫の視感度曲線と共に紫外線発光ダイオードの波長分布を示す図。
【図５】白色発光ダイオードの波長分布を示す図。
【図６】捕獲装置の構成を示す図。
【図７】本発明の変形例に係る昆虫捕獲器の構成を示す断面図。
【図８】本発明の他の変形例に係る昆虫捕獲器の構成を示す断面図。
【図９】本発明のその他の変形例に係る昆虫捕獲器の構成を示す断面図。
【符号の説明】
【００３１】
１、１Ａ〜１Ｃ  昆虫捕獲器
２  ケース体
３  誘引光源装置（誘引光源）
４  捕獲装置
６  昆虫誘引口
７  空気排出口
３４  紫外線発光ダイオード
３５  白色発光ダイオード
４１、４１Ａ  粘着シート
７０  ファン
Ｌ  風路
【図１】
2007289122.tif 000003
【図２】
2007289122.tif 000004
【図３】
2007289122.tif 000005
【図４】
2007289122.tif 000006
【図５】
2007289122.tif 000007
【図６】
2007289122.tif 000008
【図７】
2007289122.tif 000009
【図８】
2007289122.tif 000010
【図９】
2007289122.tif 000011